(57)【要約】      （修正有）【課題】ノート型パソコンの底部からの放熱を良くし、かつ任意の旋転角度でパソコンを置くことができるコンピュータ支承具を提供する。【解決手段】支承板４は側辺に設置された１対の棒体を利用して、主体１と平台に接近する嵌合部を可動結合し、支承板４の嵌合リング４３は連接棒５を通過させ、支承板４の定位フック４２が弾き棒５１の一端を抵接し、弾き棒５１のもう一端は、主体板１上の嵌合部に可動で結合し、支承板４を一角度に傾斜させ、且つ、手で、ピック５１２を弾いて、弾き棒５１の一端を前方向に次の定位フック４２まで移動させ、支承板４の傾斜角度を増加させ、主体板１は推抵素子１５２を設置して、引き開けて、コンピュータを係止する。【選択図】図５
0003149553.tif 000002
【実用新案登録請求の範囲】
【請求項１】
コンピュータ支承具であって、主体板からなり、前記主体板底部に回転盤を結合し、前記主体板頂面に支承板を設置し、前記主体板に板体を設置し、前記支承板は通風孔を設置し、前記通風孔底部はファンを固定する柱体を設置し、前記主体板と前記支承板の間は連接棒を設置し、且つ、前記連接棒の横側は二弾き棒を設置し、前記弾き棒の底部は定位棒を設置し、前記弾き棒の側辺はピックを延伸し、前記支承板の底部は定位フックと嵌合リングを設置し、前記主体板の側辺は二棒体を設置し、前記支承板は側辺に設置された二棒体により、前記主板体の嵌合部と可動結合され、前記支承板の前記嵌合リングが前記連接棒を通過させ、前記支承板の前記定位フックが前記弾き棒の一端を抵接し、前記弾き棒のもう一端は前記主体板の嵌合部に可動で結合され、前記支承板を一角度に傾斜させ、且つ、手で前記ピックを弾いて、前記弾き棒の一端を前に移動させ、前記支承板の傾斜角度を増加させ、前記板体を上に引動し、前記定位棒が前記定位フックを脱離し、前記弾き棒が前に向かって、前記主体板に接近し、前記支承板と前記主体板の蓋合により、収納に便利であることを特徴とするコンピュータ支承具。
【請求項２】
前記主体板の底端部位は通孔に沿ってスロットを環設し、適当な位置に嵌合素子を設置して、回転盤と結合し、且つ、前記回転盤と前記スロット間にスチールボールを設置することを特徴とする請求項１に記載のコンピュータ支承具。  
【請求項３】
前記主体板の底端部位は複数のローラーを結合する複数の嵌合素子を設置することを特徴とする請求項１に記載のコンピュータ支承具。
【考案の詳細な説明】
【技術分野】
【０００１】
本考案は、コンピュータ支承具に関するものであって、特に、連接棒と重心原理による手動の前弾き方式により、コンピュータの傾斜高度および旋転角度を調整する支承具に関するものである。
【背景技術】
【０００２】
科学技術の発達に伴い、ノート型パソコンは多様性を消費者に提供している。ノート型パソコンは軽薄である以外に、携帯に便利で空間を占有しないという長所を有する。しかし、ノート型パソコンの使用時、コンピュータ底部と机面が完全に接触して、コンピュータ内部の熱が散熱されず、過熱により損壊する恐れがある。また、ノート型パソコンのディスプレイの展開角度は固定角度で、左右に移動できず、展示用の場所では、随時、任意の旋転角度で設置することができない。
【考案の概要】
【考案が解決しようとする課題】
【０００３】
本考案の目的は、コンピュータ支承具を提供し、収納に便利な以外に、弾き棒を弾いて、支承板の傾斜高度を増加させ、および、回転盤を設置して、任意の角度に旋転できるようにすることである。
【課題を解決するための手段】
【０００４】
上述の目的を達成するため、本考案のコンピュータ支承具は、主体板からなり、主体板底部に回転盤を結合し、主体板頂面に支承板を設置し、主体板に板体を設置する。支承板は通風孔を設置し、主体板と支承板の間は連接棒を設置し、且つ、連接棒の横側は二弾き棒を設置する。弾き棒の底部は定位棒を設置し、弾き棒の側辺はピックを延伸し、支承板の底部は定位フックと嵌合リングを設置する。主体板の側辺は二棒体を設置し、支承板は側辺に設置された二棒体により、主板体の嵌合部と可動結合される。支承板の嵌合リングが連接棒を通過させ、支承板の定位フックが弾き棒の一端を抵接する。弾き棒のもう一端は主体板の嵌合部に可動で結合され、支承板を一角度に傾斜させ、且つ、手でピックを弾いて、弾き棒の一端を前に移動させ、支承板の傾斜角度を増加させ、板体を上に引動し、定位棒が定位フックを脱離し、弾き棒が前に向かって、主体板に接近し、支承板と主体板の蓋合が収納に便利で、且つ、主体板は推抵素子を設置し、引き開けて、コンピュータを係止し、通風孔底部はファンを設置して、散熱効果を達成する。
【考案の効果】
【０００５】
本考案のコンピュータ支承具は、収納に便利な以外に、弾き棒を弾くと、支承板の傾斜高度が増加し、および、回転盤を設置して、任意の角度に旋転でき、公知の不便を改善する。
【図面の簡単な説明】
【０００６】
【図１】本考案の立体分解図１である。
【図２】本考案の立体分解図２である。
【図３】本考案の立体組み合わせ図である。
【図４】本考案の好ましい実施例図１である。
【図５】本考案の好ましい実施例図２である。
【図６】本考案の第二実施例図である。
【図７】本考案の第三実施例図である。
【実施例１】
【０００７】
図１〜図３を参照すると、本考案のコンピュータ支承具は、主体板１からなる。主体板１中央は通孔１０で、通孔１０四周は嵌合部１１、１２、１３、１４を設置し、主体板１一端は平台１５を延伸する。平台１５両側は推抵素子１５１、１５２を設置し、平台１５の一側辺は弧形板体１５３を設置する。主体板１の底端部位は、通孔１０に沿って、スロット１６を環設し、適当な位置に嵌合素子１６１を設置して、回転盤２と結合する。回転盤２とスロット１６間に複数のスチールボール３を設置する。主体板１頂面は支承板４を設置し、支承板４は通風孔４０を設置する。通風孔４０底部はファンを固定する柱体４１を有し、支承板４の底部は二列の定位フック４２と二個の嵌合リング４３を有する。支承板４四周は折り辺４４、４５、４６を有し、一側辺は弧形板体４７を延伸する。支承板４の側辺は二棒体４８、４９を設置し、主体板１と支承板４間に連接棒５を設置する。連接棒５の横側に二弾き棒５１を設置し、弾き棒５１の底部は定位棒５１１を設置し、弾き棒５１の側辺はピック５１２を延伸する。
図１、図４と図５を参照すると、本考案の支承板４は側辺に設置された二棒体４８、４９を利用して、主体１と平台１５に接近する嵌合部１３、１４を可動結合し、支承板４の嵌合リング４３は連接棒５を通過させ、支承板４の定位フック４２が弾き棒５１の一端を抵接し、弾き棒５１のもう一端は、主体板１上の嵌合部１１、１２に可動で結合し、支承板４を一角度に傾斜させ、且つ、手で、ピック５１２を弾いて、弾き棒５１の一端を前方向に次の定位フック４２まで移動させ、支承板４の傾斜角度を増加させ、主体板１は推抵素子１５１、１５２を設置して、引き開けて、コンピュータを係止する。
【実施例２】
【０００８】
図６を参照すると、本考案のコンピュータ支承具は、支承板４が二個の通風孔４０１、４０２を設置している。
【実施例３】
【０００９】
図７を参照すると、本考案のコンピュータ支承具は、主体板６からなる。主体板６中央は通孔６０で、主体板６両側は、推抵素子６５１、６５２を設置し、主体板６の底端部位は、複数のローラー７を結合する複数の嵌合素子６６１を有し、主体板６頂面は支承板４を設置する。支承板４は通風孔４０を設置し、通風孔４０底部は、ファンを固定する柱体４１を設置する。支承板４の底部は二列の定位フック４２と二個の嵌合リング４３を設置し、支承板４四周は折り辺４４、４５、４６を設置し、一側辺は弧形板体４７を延伸し、支承板４の側辺は二棒体４８、４９を設置し、主体板６と支承板４間に連接棒５を設置し、且つ、連接棒５の横側に二弾き棒５１を設置し、弾き棒５１底部は定位棒５１１を有し、弾き棒５１の側辺はピック５１２を設置する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００１０】
主体板１
回転盤２
スチールボール３
支承板４
連接棒５
弾き棒５１
定位棒５１１
ピック５１２
主体板６
ローラー７
通孔１０
嵌合部１１、１２、１３、１４
平台１５
推抵素子１５１、１５２
弧形板体１５３
スロット１６
嵌合素子１６１
通風孔４０
通風孔４０１、４０２
柱体４１
定位フック４２
嵌合リング４３
折り辺４４、４５、４６
弧形板体４７
棒体４８、４９
通孔６０
推抵素子６５１、６５２
嵌合素子６６１
【図１】
0003149553.tif 000003
【図２】
0003149553.tif 000004
【図３】
0003149553.tif 000005
【図４】
0003149553.tif 000006
【図５】
0003149553.tif 000007
【図６】
0003149553.tif 000008
【図７】
0003149553.tif 000009